(57)【要約】【課題】  操作軸が実装基板の平面方向に対して直交する方向に取り付けが可能な回転型電気部品を提供する。【解決手段】  収納部を有する筐体４と、筐体４の一端側から外方に突出すると共に、筐体４に回転可能に保持された操作軸１と、操作軸１の操作に伴って電気信号を出力する信号検出手段と、信号検出手段と電気的に接続され、筐体４の一側面から操作軸１の軸線方向と直交する方向に突設された接続端子５とを備え、筐体４の接続端子５が突出する一側面側に、接続端子５と電気的に接続される中継端子１０を有する取付部材９を設け、中継端子１０の一端を取付部材９の一端側から操作軸１の突出方向に延出して配設すると共に、取付部材９に筐体４が取り付けられる実装基板３に係止する係止部９ｃを形成した。【選択図】        図１
2005150241.tif 000002
【特許請求の範囲】
【請求項１】
収納部を有する筐体と、この筐体の一端側から外方に突出すると共に、前記筐体に回転可能に保持された操作軸と、前記収納部に収納され、前記操作軸の操作に伴って電気信号を出力する信号検出手段と、この信号検出手段と電気的に接続され、前記筐体の一側面から前記操作軸の軸線方向と直交する方向に突出して配設された接続端子とを備え、前記筐体の前記接続端子が突出する一側面側に、前記接続端子と電気的に接続される中継端子を有する取付部材を設け、前記中継端子の一端を前記取付部材の一端側から前記操作軸の突出方向に延出して配設すると共に、前記取付部材に前記筐体が取り付けられる実装基板に係止する係止部を形成したことを特徴とする回転型電気部品。
【請求項２】
前記信号検出手段を複数列設け、前記接続端子は、前記操作軸の軸線方向と直交する方向に平行に複数列並設されており、前記取付部材には、前記接続端子と電気的に接続する複数列の接続部を形成し、この接続部が複数の前記中継端子にそれぞれ電気的に接続されていると共に、前記中継端子の一端側を前記操作軸の突出方向に延出して横方向一列となるように配置したことを特徴とする請求項１記載の回転型電気部品。
【請求項３】
前記筐体には前記信号検出手段の一つを構成し前記操作軸の操作に伴って動作する検出スイッチを備え、前記筐体の前記一側面には前記検出スイッチと電気的に接続され、前記接続端子の一部を構成するスイッチ端子が突出して配設され、このスイッチ端子を前記取付部材の前記中継端子に設けられた前記接続部の一部に接続すると共に、前記スイッチ端子に接続された前記中継端子と、その他の前記接続端子に接続された前記中継端子とを前記操作軸の突出方向に延出して横方向一列となるように配置したことを特徴とする請求項２記載の回転型電気部品。
【請求項４】
前記取付部材は、平板状の基板部を有し、前記筐体の前記接続端子が突出された一側面には、前記取付部材を位置決めする複数の突起を形成したことを特徴とする請求項２、又は３記載の回転型電気部品。
【請求項５】
前記取付部材には、前記取付部材の一端側から前記操作軸の突出方向に延出する取付腕部を形成し、この取付腕部の先端に前記係止部を設けると共に、この係止部を前記中継端子の突出位置よりも前記操作軸の突出位置側に形成したことを特徴とする請求項１乃至４の何れかに記載の回転型電気部品。
【発明の詳細な説明】
【技術分野】
【０００１】
本発明は、回転型電気部品に係り、特に、音響機器等の電子機器の各種コントロールに使用される回転型電気部品の構造に関する。
【背景技術】
【０００２】
従来の回転型電気部品の構造としては、電子機器の実装基板にマウントされる外部出力端子が、回転操作軸の軸線に対して直交する方向に延出されて形成されており、実装基板に取り付けられた場合に、実装基板の平面方向に対して回転操作軸が平行となる構造のものが知られている（例えば、特許文献１参照）。
【０００３】
以下、従来の回転型電気部品の構造を図に基づいて説明する。
図７は従来の回転型電気部品の構造を示す側断面図である。
【０００４】
図において、５１は亜鉛ダイカスト等により形成された箱型ケースで、その前面壁５１Ａ中央部の円筒状軸受部５２には回転型操作軸５３が回転可能に保持され、そのケース５１内への延長部５３Ａには成形樹脂製の円板状回転体５４が共回りするようにかしめ固定されている。
【０００５】
そして、回転体５４の前面側には中心から放射状に一定角度ピッチの凹凸部５５が設けられてクリック板５６を形成すると共に、後面側には可変抵抗器部の弾性摺動接点５７が保持されている。
【０００６】
また、ケース５１の前面壁５１Ａの後面には弾性金属板製のクリックばね５８が固定され、その弾性アーム部先端の突起部５９が上記回転体５４前面のクリック板５６の放射線状凹凸部５５に弾接し、一方、ケース５１の後面開口部には可変抵抗器部の抵抗基板６０が配されて、その前面に印刷形成された印刷抵抗素子層６１に上記回転体５４後面の弾性摺動接点５７が弾接すると共に、後面に当てられた蓋板６２の脚部６３をケース５１の前面で折り曲げかしめることにより固定されている。
【０００７】
尚、ケース５１の側壁内周の突起５１Ｂは、回転体５４の外周突部５４Ａと当接して回転体５４の全回転角度を規制するストッパー用突起である。
【０００８】
このように構成された回転操作型クリック付可変抵抗器の操作軸５３を回転操作することにより、回転体５４が回転させられ、その後面の弾性摺動接点５７が抵抗基板６０上の印刷抵抗素子６１上を回転摺動して外部出力端子６４に出力される抵抗値を変化させると共に、その前面の放射状凹凸部５５上をクリックばね５８の弾性アーム部先端の突起部５９が弾接摺動してクリック感を生じていた。
【０００９】
【特許文献１】特開平９−８２５０７号公報
【発明の開示】
【発明が解決しようとする課題】
【００１０】
しかしながら、上述した従来の回転型電気部品においては、電子機器の実装基板にマウントされる外部出力端子が、回転操作軸の軸線に対して直交する方向に延出されて形成されているので、実装基板に取り付ける際には、回転操作軸が実装基板の平面方向と平行となる方向にしか取り付けることができず、回転操作軸が実装基板と直交する方向への取り付けができないため、実装時の汎用性が乏しいという問題があった。
【００１１】
したがって、本発明では上述した問題点を解決し、操作軸が実装基板の平面方向に対して直交する方向に取り付けが可能な回転型電気部品を提供することを目的とする、
【課題を解決するための手段】
【００１２】
上記課題を解決するために本発明では第１の解決手段として、収納部を有する筐体と、この筐体の一端側から外方に突出すると共に、前記筐体に回転可能に保持された操作軸と、前記収納部に収納され、前記操作軸の操作に伴って電気信号を出力する信号検出手段と、この信号検出手段と電気的に接続され、前記筐体の一側面から前記操作軸の軸線方向と直交する方向に突出して配設された接続端子とを備え、前記筐体の前記接続端子が突出する一側面側に、前記接続端子と電気的に接続される中継端子を有する取付部材を設け、前記中継端子の一端を前記取付部材の一端側から前記操作軸の突出方向に延出して配設すると共に、前記取付部材に前記筐体が取り付けられる実装基板に係止する係止部を形成した構成とした。
【００１３】
また、第２の解決手段として、前記信号検出手段を複数列設け、前記接続端子は、前記操作軸の軸線方向と直交する方向に平行に複数列並設されており、前記取付部材には、前記接続端子と電気的に接続する複数列の接続部を形成し、この接続部が複数の前記中継端子にそれぞれ電気的に接続されていると共に、前記中継端子の一端側を前記操作軸の突出方向に延出して横方向一列となるように配置した構成とした。
また、第３の解決手段として、前記筐体には前記信号検出手段の一つを構成し前記操作軸の操作に伴って動作する検出スイッチを備え、前記筐体の前記一側面には前記検出スイッチと電気的に接続され、前記接続端子の一部を構成するスイッチ端子が突出して配設され、このスイッチ端子を前記取付部材の前記中継端子に設けられた前記接続部の一部に接続すると共に、前記スイッチ端子に接続された前記中継端子と、その他の前記接続端子に接続された前記中継端子とを前記操作軸の突出方向に延出して横方向一列となるように配置した構成とした。
【００１４】
また、第４の解決手段として、前記取付部材は、平板状の基板部を有し、前記筐体の前記接続端子が突出された一側面には、前記取付部材を位置決めする複数の突起を形成した構成とした。
また、第５の解決手段として、前記取付部材には、前記取付部材の一端側から前記操作軸の突出方向に延出する取付腕部を形成し、この取付腕部の先端に前記係止部を設けると共に、この係止部を前記中継端子の突出位置よりも前記操作軸の突出位置側に形成した構成とした。
【発明の効果】
【００１５】
上述したように、本発明の回転型電気部品は、収納部を有する筐体と、筐体の一端側から外方に突出すると共に、筐体に回転可能に保持された操作軸と、収納部に収納され、操作軸の操作に伴って電気信号を出力する信号検出手段と、信号検出手段と電気的に接続され、筐体の一側面から操作軸の軸線方向と直交する方向に突出して配設された接続端子とを備え、筐体の接続端子が突出する一側面側に、接続端子と電気的に接続される中継端子を有する取付部材を設け、中継端子の一端を取付部材の一端側から操作軸の突出方向に延出して配設すると共に、取付部材に筐体が取り付けられる実装基板に係止する係止部を形成したことから、筐体の一側面から操作軸の軸線方向と直交する方向に突出して配設された接続端子を備えた回転型電気部品においても、容易に、実装基板に対して回転型電気部品の操作軸を実装基板の平面方向と直交する方向に取り付けることが可能となり、実装時の汎用性に優れた回転型電気部品が得られる。
また、取付部材に係止部を設けたので、筐体を実装基板に仮止めすることができ、中継端子を実装基板に半田付け等で取り付ける際の作業性を良好にすることができる。
【００１６】
また、信号検出手段を複数列設け、接続端子は、操作軸の軸線方向と直交する方向に平行に複数列並設されており、取付部材には、接続端子と電気的に接続する複数列の接続部を形成し、接続部が複数の中継端子にそれぞれ電気的に接続されていると共に、中継端子の一端側を操作軸の突出方向に延出して横方向一列となるように配置したことから、接続端子が複数列並設された回転型電気部品においても、接続端子と電気的に接続する接続部に接続される中継端子を、横方向一列に配置したので、取付部材の厚さを薄くすることができ、電気部品を大型化することなく、実装時の汎用性に優れた回転型電気部品が得られる。
【００１７】
また、筐体には信号検出手段の一つを構成し操作軸の操作に伴って動作する検出スイッチを備え、筐体の一側面には検出スイッチと電気的に接続され、接続端子の一部を構成するスイッチ端子が突出して配設され、スイッチ端子を取付部材の中継端子に設けられた接続部の一部に接続すると共に、スイッチ端子に接続された中継端子と、その他の接続端子に接続された中継端子とを操作軸の突出方向に延出して横方向一列となるように配置したことから、検出スイッチ付の回転型電気部品においても、スイッチ端子及びそれ以外の接続端子と電気的に接続する接続部に接続される中継端子を、横方向一列に配置したので、取付部材の厚さを薄くすることができ、電気部品を大型化することなく、実装時の汎用性に優れた回転型電気部品が得られる。
【００１８】
また、取付部材は、平板状の基板部を有し、筐体の接続端子が突出された一側面には、取付部材を位置決めする複数の突起を形成したことから、複数の突起により取付部材の基板部を、がたつくことなく安定した状態で筐体に取り付けることができるので、取付作業性が良い。
また、取付部材には、取付部材の一端側から操作軸の突出方向に延出する取付腕部を形成し、取付腕部の先端に係止部を設けると共に、係止部を中継端子の突出位置よりも操作軸の突出位置側に形成したことから、取付部材を取付腕部の係止部により簡単に実装基板に仮止めあるいは位置決めできると共に、筐体と取付部材とをバランス良く実装基板に取り付けることができる。
【発明を実施するための最良の形態】
【００１９】
以下、本発明の回転型電気部品の実施形態を図１乃至図６に示す。図１は本発明の回転型電気部品の側面図、図２は回転型電気部品の正面図、図３は回転型電気部品から取付部材を外した状態を示す側面図、図４は回転型電気部品から取付部材を外した状態を示す底面図、図５は取付部材の側面図、図６は取付部材の底面図である。
【００２０】
図において、操作軸１は、合成樹脂などの絶縁材あるいはアルミニュームなどの金属材からなり、長軸状に形成されている。この操作軸１は、一端側にＤ字状にカットされた操作部１ａを有し、中間の軸部は後述する軸受け２に回転可能に軸支されている。また、他端側は軸受け２の後端側に係合された筐体に挿通されている。
【００２１】
軸受け２は、合成樹脂などの絶縁材あるいは亜鉛などの金属材からなり、円筒状の筒状部２ａと、この筒状部２ａの一端側に設けられた略方形状の基台部２ｂとを有している。この軸受け２の筒状部２ａに前記操作軸１の軸部が回転可能に挿入されて操作部１ａが突出した状態で軸支されている。尚、図示はしないが、軸受け２の内周部には、前記操作軸１が一定角度回転した時に、図示しない回転体のストッパーと当接して操作軸１の回転を規制する規制部が設けられている。
【００２２】
また、軸受け２には、互いに対向する方向へ延出した、一対の取付片２ｃ、２ｃが形成されており、この取付片２ｃ、２ｃには、一対の突起部２ｄ、２ｄが設けられている。この突起部２ｄ、２ｄが回転型電気部品が実装される電子機器などの実装基板３の取付孔（図示せず）に嵌合されて、回転型電気部品が位置決めされるものとなっている。
【００２３】
前記軸受け２の後端には第１の筐体４が係合されている。この第１の筐体４は、合成樹脂などの絶縁材で一面が開口された箱型に形成されており、内部に中空状の収納部を有している。この収納部の内底面には、カーボンや銀などの導電性の材料で印刷された、図示しない抵抗体及び集電体のパターンが形成されており、第１の筐体４の一側面には、このパターンから導出された導電性の金属板からなる複数（本実施例では３本）の接続端子５が外方に突出して設けられている。この接続端子５は、前記操作軸１の軸線方向と直交する方向に突出して配設されており、前記軸受け２の一対の取付片２ｃ、２ｃの取り付け面と平行に並設されている。
【００２４】
第１の筐体４の収納部には、合成樹脂などの絶縁材からなる回転体（図示せず）が前記操作軸１に軸支されて回転可能に配設されている。この回転体には、ばね性を有する導電性の金属板からなる摺動子（図示せず）が固着されており、前記操作軸１の回転に伴ってこの摺動子が前記収納部のパターン上を摺動するものとなっている。
【００２５】
この第１の筐体４の収納部に収納された回転体の摺動子と収納部に形成されたパターンとで、前記操作軸１の回転操作に伴って電気信号を出力する信号検出手段を構成している。尚、この信号検出手段としては、例えば、抵抗体パターンからなる可変抵抗器、コードパターンからなるエンコーダなどで形成することができる。
【００２６】
また、前記第１の筐体４の、前記接続端子５が突出された一側面には、一対の突起４ａ、４ａが形成されている。この一対の突起４ａ、４ａが後述する取付部材９の平板状の基板部９ａと当接して位置決めされるものとなっている。
【００２７】
第１の筐体４の後端には、スペーサ体６を介して第２の筐体７が係合されている。この第２の筐体７は、同じく合成樹脂などの絶縁材で一面が開口された箱状に形成されており、内部に中空状の収納部を有している。この収納部の内底面には、導電性の金属板などからなる図示しない固定接点が形成されており、第２の筐体７の一側面には、この固定接点から導出された導電性の金属板からなる一対のスイッチ端子８が外方に突出して設けられている。尚、このスイッチ端子８も回転型電気部品の接続端子の一部を構成するものである。
【００２８】
このスイッチ端子８は、前記操作軸１の軸線方向と直交する方向に突出して配設されており、前記軸受け２の一対の取付片２ｃの取り付け面と平行に並設されている。すなわち、スイッチ端子８は、前記操作軸１の軸線方向と直交する方向に、前記接続端子５と平行に並設されている。
【００２９】
第２の筐体７の収納部には、同じく合成樹脂などの絶縁材からなる回転体（図示せず）が前記操作軸１に軸支されて回転可能に配設されている。この回転体には、ばね性を有する導電性の金属板からなる可動接点（図示せず）が固着されており、前記操作軸１の回転に伴ってこの可動接点が前記収納部の固定接点上を摺動するものとなっている。この第２の筐体７の収納部に収納された回転体の可動接点と収納部に形成された固定接点とで、前記操作軸１の操作に伴ってオン、オフ動作する検出スイッチを構成している。
【００３０】
尚、この場合、前記操作軸１を、前記軸受け２、及び第１、第２の筐体４、７に軸線方向にスライド移動可能に挿通して、前記回転体を操作軸１のスライド移動と共にスライド可能に配設することにより、操作軸１のスライド動作で検出スイッチを動作させるようにしても良い。このように、操作軸１の回転あるいはスライド操作等で動作する検出スイッチは、本発明における回転型電気部品の信号検出手段の一つを構成するものである。
【００３１】
また、前記スペーサ体６の、前記接続端子５及びスイッチ端子８が突出された側の一側面には、同様に一対の突起６ａ、６ａが形成されている。この一対の突起６ａ、６ａが後述する取付部材９の平板状の基板部９ａと当接して位置決めされるものとなっている。また、この場合、一対の突起を前記第２の筐体７に設けるようにしても良い。
【００３２】
前記第１及び第２の筐体４、７の、前記接続端子５及びスイッチ端子８が突出する一側面側には、合成樹脂などの絶縁材からなる取付部材９が取り付けられている。この取付部材９は、平板状の基板部９ａと、この基板部９ａの一端側から前記操作軸１の突出方向に延出する一対の取付腕部９ｂ、９ｂを有し、この取付腕部９ｂ、９ｂの先端にはフック状をした係止部９ｃ、９ｃが設けられている。また、前記基板部９ａには、前記第１及び第２の筐体４、７から導出された前記接続端子５、及びスイッチ端子８と電気的に接続される、接続部１０ａ、１１ａを有する導電性の金属板からなる中継端子１０、１１が、インサート成形などの方法で一体的に埋設されて形成されている。
【００３３】
また、前記接続部１０ａ、１１ａは、前記操作軸１の軸線方向と直交する方向に平行に並設されており、この接続部１０ａ、１１ａは前記中継端子１０、１１の一部（他端側）に小孔を設けることにより形成されて、対応する中継端子１０、１１とそれぞれ電気的に接続されると共に、一端側が前記基板部９ａの一端側から前記操作軸１の突出方向に延出して横方向一列となるように配置されている。すなわち、中継端子１０、１１は、前記基板部９ａの平板内に同一平面状に一体に埋設されて形成されている。この中継端子１０、１１が、回転型電気部品が実装される電子機器などの実装基板３に形成された、図示しない導電パターンと半田付け等により接続されるものとなっている。尚、接続端子５及びスイッチ端子８は、それぞれ接続部１０ａ及び１１ａの小孔に挿入されて半田付けされることにより、対応する中継端子１０、１１と電気的に接続されている。
【００３４】
また、前記平板状の基板部９ａの平面が、前記第１の筐体４及びスペーサ体６の一側面に設けられた前記一対の突起４ａ、４ａ及び６ａ、６ａに当接されて位置決めされている。また、前記係止部９ｃ、９ｃは、前記中継端子１０、１１の突出位置よりも前記操作軸１の突出位置側に形成されており、この係止部９ｃが、回転型電気部品が実装される電子機器などの実装基板３の取付孔（図示せず）に係合されて仮止めあるいは位置決めされるものとなっている。
【００３５】
このように、前記取付部材９は、平板状の基板部９ａを有し、前記第１の筐体４の接続端子５が突出された一側面、及び前記スペーサ体６の一側面に、前記取付部材９を位置決めする複数の突起４ａ、４ａ、６ａ、６ａを形成したので、この複数の突起４ａ、４ａ、６ａ、６ａにより取付部材９の基板部９ａを、がたつくことなく安定した状態で前記第１の筐体４、スペーサ体６及び第２の筐体７に取り付けることができるものとなる。
【００３６】
また、前記取付部材９には、取付部材９の一端側から操作軸１の突出方向に延出する前記取付腕部９ｂが形成されており、この取付腕部９ｂの先端にフック状の前記係止部９ｃを設けると共に、この係止部９ｃを前記中継端子１０、１１の突出位置よりも操作軸１の突出位置側に形成したので、取付部材９を取付腕部９ｂの係止部９ｃにより簡単に実装基板３に仮止めあるいは位置決めできると共に、第１及び第２の筐体４、７と取付部材９とをバランス良く実装基板３に取り付けることができるものとなる。
【００３７】
前記第２の筐体７の後端には、プッシュロックメカ１２が係合されている。このプッシュロックメカ１２には、前記操作軸１を軸線方向にスライド移動させると共に、操作位置（つまみの突出位置）と非操作位置（つまみの収納位置）とに操作軸１をスライド移動させて保持させるための機構（図示せず）が内蔵されている。
【００３８】
これは、本実施例の回転型電気部品が、例えば車載用などの電子機器等のパネルに実装された場合、検出スイッチや信号検出手段を動作させる際には、プッシュロックメカ１２により操作軸１を操作位置に突出して所望の動作を行ない、動作させない際には、プッシュロックメカ１２により操作軸１を非操作位置に収納しておくことで、誤動作やつまみの損傷を防止できるものとなっている。
【００３９】
上記構成の回転型電気部品を、電子機器の実装基板３に実装する場合には、操作軸１が突設された軸受け２の一対の取付片２ｃ、２ｃに形成された、一対の突起部２ｄ、２ｄを、回転型電気部品が実装される電子機器などの実装基板３の取付孔（図示せず）に嵌合して位置決めする。
【００４０】
この時、回転型電気部品の第１及び第２の筐体４、７の接続端子５及びスイッチ端子８に接続された中継端子１０、１１の一端側が、実装基板３の図示しないランド穴に挿入されると共に、取付部材９の取付腕部９ｂの先端に形成された係止部９ｃが、実装基板３の係合孔（図示せず）に係合されて仮止めされるものとなる。
【００４１】
そして、実装基板３の取付孔に一対の突起部２ｄ、２ｄが嵌合して位置決めされると共に、実装基板３の係合孔に係止部９ｃが係合されて、操作軸１を上方に向けても回転型電気部品が脱落しないような状態で、中継端子１０、１１を実装基板３の導電パターンのランド（図示せず）に半田付けして回転型電気部品の実装が完了する。
【００４２】
このように、上記構成の回転型電気部品は、電子機器の実装基板３にマウントされる接続端子５及びスイッチ端子８が、操作軸１の軸線に対して直交する方向に延出されて形成されている場合においても、実装基板３に取り付ける際には、取付部材９の中継端子１０、１１を実装基板３に挿入することによって、操作軸１が実装基板３の平面方向と直交する方向へ延出した状態での取り付けが可能となっている。すなわち、回転型電気部品の筐体４、７を実装基板３の裏面側に位置させて実装基板３に取り付けることができるようになっている。
【００４３】
尚、上記実施例では、第２の筐体７の収納部には、検出スイッチを構成するようにしたが、これに限らず、第１の筐体４の収納部と同様に回転操作に伴って電気信号を出力する可変抵抗器等の信号検出手段を構成するようにしても良く、また、筐体は２段に限らず、３段以上の構成として複数段の信号検出手段を構成するようにしても良い。
【００４４】
上記した本発明の実施例によれば、第１の筐体４の接続端子５が突出する一側面側に、この接続端子５と電気的に接続される中継端子１０を有する取付部材９を設け、この中継端子１０の一端を前記取付部材９の一端側から操作軸１の突出方向に延出して配設すると共に、前記取付部材９に第１の筐体４が取り付けられる実装基板３に係止する係止部９ｃを形成したことから、前記第１の筐体４の一側面から前記操作軸１の軸線方向と直交する方向に突出して配設された前記接続端子５を備えた回転型電気部品においても、容易に、実装基板３に対して回転型電気部品の操作軸１を実装基板３の平面方向と直交する方向に取り付けることが可能となり、実装時の汎用性に優れた回転型電気部品が得られるものとなっている。また、係止部９ｃを設けたことから、中継端子１０を実装基板３に半田付け等で取り付ける際の仮止めをすることが可能となり、半田付けの作業性を向上させることができる。
【００４５】
また、前記接続端子５及びスイッチ端子８を、前記操作軸１の軸線方向と直交する方向に平行に複数列並設して、前記取付部材９に、この接続端子５及びスイッチ端子８と電気的に接続する複数列の接続部１０ａ、１１ａを有する中継端子１０、１１を操作軸１の突出方向に延出して横方向一列となるように配置することにより、接続端子５及びスイッチ端子８が複数列並設された回転型電気部品においても、接続端子５及びスイッチ端子８と電気的に接続される中継端子１０、１１を、横方向一列に配置したので、取付部材９の厚さを薄くすることができ、電気部品を大型化することなく、実装時の汎用性に優れた回転型電気部品が得られるものとなっている。
【図面の簡単な説明】
【００４６】
【図１】本発明の回転型電気部品を示す側面図である。
【図２】本発明の回転型電気部品を示す正面図である。
【図３】本発明の回転型電気部品から取付部材を外した状態を示す側面図である。
【図４】本発明の回転型電気部品から取付部材を外した状態を示す底面図である。
【図５】本発明の取付部材を示す側面図である。
【図６】本発明の取付部材を示す底面図である。
【図７】従来の回転型電気部品を示す側断面図である。
【符号の説明】
【００４７】
１：操作軸
１ａ：操作部
２：軸受け
２ａ：筒状部
２ｂ：基台部
２ｃ：取付片
２ｄ：突起部
３：実装基板
４：第１の筐体
４ａ：突起
５：接続端子
６：スペーサ体
６ａ：突起
７：第２の筐体
８：スイッチ端子（接続端子）
９：取付部材
９ａ：基板部
９ｂ：取付腕部
９ｃ：係止部
１０：中継端子
１０ａ：接続部
１１：中継端子
１１ａ：接続部
１２：プッシュロックメカ
【図１】
2005150241.tif 000003
【図２】
2005150241.tif 000004
【図３】
2005150241.tif 000005
【図４】
2005150241.tif 000006
【図５】
2005150241.tif 000007
【図６】
2005150241.tif 000008
【図７】
2005150241.tif 000009